(57)【要約】【課題】外部電源に接続した場合も外部電源に接続していない場合も共に利用できる庭木バリカンを提供する。【解決手段】バリカン本体１に外部電源２０に接続可能な外部電源接続端子１９を設ける。バリカン本体１に、整流回路２１と、充電回路２３と、二次電池２４を内装する。外部電源接続端子１９を外部電源２０に接続し且つ切替スイッチ２５をＯＮにした状態では外部電源２０を整流回路２１を介してモータ４に接続することでモータ４駆動用の電源とする。外部電源接続端子１９を外部電源２０に接続し且つ切替スイッチ２５をＯＦＦにした状態では前記充電回路２３による二次電池２４の充電を可能とする。外部電源接続端子１９を外部電源２０に接続していない状態では二次電池２４をモータ４に接続してモータ４駆動用の電源とする。【選択図】        図１
2008079523.tif 000002
【特許請求の範囲】
【請求項１】
バリカン刃を駆動するモータをバリカン本体に内装し、バリカン本体に外部電源に接続可能な外部電源接続端子を設けると共に、外部電源からの電流を交流から直流に変換する整流回路と、充電回路と、該充電回路により外部電源からの電力で充電可能な二次電池を内装し、モータのＯＮ・ＯＦＦを切替えるための切替スイッチを設け、外部電源接続端子を外部電源に接続し且つ切替スイッチをＯＮにした状態では外部電源を整流回路を介してモータに接続することでモータ駆動用の電源とし、外部電源接続端子を外部電源に接続し且つ切替スイッチをＯＦＦにした状態では前記充電回路による二次電池の充電を可能とし、外部電源接続端子を外部電源に接続していない状態では二次電池をモータに接続してモータ駆動用の電源とすることを特徴とする庭木バリカン。
【請求項２】
前記充電回路は、外部電源接続端子を外部電源に接続した状態で切替スイッチをＯＦＦにした後、所定時間以上経過した場合にのみ二次電池を充電可能とすることを特徴とする請求項１に記載の庭木バリカン。
【請求項３】
二次電池の電池容量又は電池電圧を検知し、充電回路は検知した電池容量又は電池電圧が最適条件を満たした場合にのみ二次電池を充電可能とすることを特徴とする請求項１又は請求項２に記載の庭木バリカン。
【請求項４】
前記バリカン本体に内装した二次電池及び充電回路を冷却するための冷却ファンを設けて成ることを特徴とする請求項１〜３のいずれか１項に記載の庭木バリカン。
【請求項５】
バリカン本体の上部にグリップ部を形成すると共に該バリカン本体の下端にバリカン刃を設け、バリカン本体の外郭を構成するハウジングに、前記冷却ファンによって外気をハウジング内に吸い込むための空気流入口と、該吸い込んだ空気を排出するための空気流出口とを設け、空気流入口又は空気流出口の少なくともいずれか一方をハウジングの下側を向く面部に形成して成ることを特徴とする請求項４に記載の庭木バリカン。
【発明の詳細な説明】
【技術分野】
【０００１】
本発明は庭木を剪定するために用いられる庭木バリカンに関する。
【背景技術】
【０００２】
従来から特許文献１に示すようなバリカン刃を備えた庭木バリカンが利用されている。一般的な庭木バリカンは充電式であり、例えばバリカン本体に電源としての二次電池を備えた電池パックを着脱自在に取付けて利用される。しかしこのような充電式の庭木バリカンは二次電池の残容量が減少した場合に該二次電池を備えた電池パックを商用電源等の外部電源に接続して充電する必要があり、この際は庭木バリカンを利用できないという問題がある。
【０００３】
また庭木バリカンの電源を商用電源のような外部電源とすることも考えられるが、この場合は庭木バリカンと外部電源とを電源コードで接続する必要があり、充電式のようにコードレスで利用することができない。
【特許文献１】特開平１０−８９３２２号公報
【発明の開示】
【発明が解決しようとする課題】
【０００４】
本発明は上記従来の問題点に鑑みて発明したものであって、二次電池の電力で利用でき、また二次電池の残容量が減少した場合にも外部電源の電力で利用できる庭木バリカンを提供することを課題とするものである。
【課題を解決するための手段】
【０００５】
上記課題を解決するために本発明に係る庭木バリカンは、バリカン刃３ａ、３ｂを駆動するモータ４をバリカン本体１に内装し、バリカン本体１に外部電源２０に接続可能な外部電源接続端子１９を設けると共に、外部電源２０からの電流を交流から直流に変換する整流回路２１と、充電回路２３と、該充電回路２３により外部電源２０からの電力で充電可能な二次電池２４を内装し、モータ４のＯＮ・ＯＦＦを切替えるための切替スイッチ２５ａを設け、外部電源接続端子１９を外部電源２０に接続し且つ切替スイッチ２５ａをＯＮにした状態では外部電源２０を整流回路２１を介してモータ４に接続することでモータ４駆動用の電源とし、外部電源接続端子１９を外部電源２０に接続し且つ切替スイッチ２５ａをＯＦＦにした状態では前記充電回路２３による二次電池２４の充電を可能とし、外部電源接続端子１９を外部電源２０に接続していない状態では二次電池２４をモータ４に接続してモータ４駆動用の電源とすることを特徴とする。このように外部電源接続端子１９を外部電源２０に接続し且つ切替スイッチ２５ａをＯＮにした状態では外部電源２０を整流回路２１を介してモータ４に接続することでモータ４駆動用の電源とし、外部電源接続端子１９を外部電源２０に接続し且つ切替スイッチ２５ａをＯＦＦにした状態では前記充電回路２３による二次電池２４の充電を可能とし、外部電源接続端子１９を外部電源２０に接続していない状態では二次電池２４をモータ４に接続してモータ４駆動用の電源とすることで、外部電源接続端子を外部電源に接続しない場合は、二次電池２４の電力で庭木バリカンを利用でき、また二次電池の残容量が減少した場合にも外部電源接続端子を外部電源に接続すれば外部電源の電力で庭木バリカンを利用することができ、また外部電源接続端子を外部電源に接続し且つ切替スイッチをＯＦＦにすることで外部電源により二次電池２４を充電できる。
【０００６】
また請求項２は請求項１において、前記充電回路２３は、外部電源接続端子１９を外部電源２０に接続した状態で切替スイッチ２５ａをＯＦＦにした後、所定時間以上経過した場合にのみ二次電池２４を充電可能とすることを特徴とする。切替スイッチ２５ａをＯＦＦにした後、所定時間以上経過した場合にのみ充電できるようにしたことで、使用時において短時間で切替スイッチ２５ａが切替えられた場合にその都度充電が行われることを防止できる。
【０００７】
また請求項３は請求項１又は請求項２において、二次電池２４の電池容量又は電池電圧を検知し、充電回路２３は検知した電池容量又は電池電圧が最適条件を満たした場合にのみ二次電池２４を充電可能とすることを特徴とする。電池容量又は電池電圧が最適条件を満たした場合にのみ二次電池２４を充電できるようにしたことで、二次電池２４がニッケル・カドミウム電池のような場合に、継ぎ足し充電による電池能力の劣化を防止できる。
【０００８】
また請求項４は請求項１〜３のいずれか１項において、前記バリカン本体１に内装した二次電池２４及び充電回路２３を冷却するための冷却ファン２８を設けて成ることを特徴とする。冷却ファン２８により充電時において高温となる二次電池２４及び充電回路２３を冷却できる。
【０００９】
また請求項５は請求項４において、バリカン本体１の上部にグリップ部２を形成すると共に該バリカン本体１の下端にバリカン刃３ａ、３ｂを設け、バリカン本体１の外郭を構成するハウジング１２に、前記冷却ファン２８によって外気をハウジング１２内に吸い込むための空気流入口３１と、該吸い込んだ空気を排出するための空気流出口３２とを設け、空気流入口３１又は空気流出口３２の少なくともいずれか一方をハウジング１２の下側を向く面部に形成して成ることを特徴とする。例えばグリップ部２を把持し、グリップ部２を上側に配置し且つバリカン本体１の下端に設けたバリカン刃３ａ、３ｂを下側に配置した状態で、バリカン刃３ａ、３ｂを駆動して庭木の剪定を行うことができ、また空気流入口３１又は空気流出口３２の少なくともいずれか一方をハウジング１２の下側を向く面部に形成したことで、空気流入口３１や空気流出口３２からハウジング１２内に雨水や埃が浸入することを防止できる。
【発明の効果】
【００１０】
請求項１に係る発明では、二次電池をモータの電源として庭木バリカンを外部電源に接続せずに利用でき、またこの二次電池の残容量が減少した場合には庭木バリカンを外部電源に接続して利用できる。またこの外部電源接続端子９を利用して外部電源２０で二次電池２４を充電できる。
【００１１】
また請求項２に係る発明では、請求項１に係る発明の効果に加えて、使用時において短時間で切替スイッチが切替えられた場合にその都度充電が行われることを防止できる。
【００１２】
また請求項３に係る発明では、請求項１又は請求項２に係る発明の効果に加えて、二次電池がニッケル・カドミウム電池のような場合に、継ぎ足し充電による電池能力の劣化を防止できる。
【００１３】
また請求項４に係る発明では、請求項１乃至請求項３のいずれか１項に係る発明の効果に加えて、二次電池及び充電回路が高温となることを防止できる。
【００１４】
また請求項５に係る発明では、請求項４に係る発明の効果に加えて、空気流入口や空気流出口からハウジング内に雨水や埃が浸入することを防止できる。
【発明を実施するための最良の形態】
【００１５】
以下、本発明を添付図面に示す実施形態に基づいて説明する。本例の庭木バリカンは図１に示すバリカン本体１の一側である上部に形成したグリップ部２を把持し、グリップ部２を上側に配置し且つバリカン本体１の他側である下端に設けたバリカン刃３ａ、３ｂを下側に配置した状態で、バリカン刃３ａ、３ｂを駆動して庭木の剪定を行うものであり、バリカン刃３ａ、３ｂを駆動するモータ４はバリカン本体１に内装されている。
【００１６】
バリカン刃３ａ、３ｂを備えた刃ブロック５はバリカン本体１の前端部の下端から前方に向けて突出している。刃ブロック５は、上下に２枚積層して配置した前後に長い長尺なバリカン刃３ａ、３ｂを一対の長尺な押さえ板６ａ、６ｂで上下から挟み、この上下の押さえ板６ａ、６ｂをバリカン刃３ａ、３ｂを貫通した複数のボルト７により連結することで構成される。
【００１７】
両バリカン刃３ａ、３ｂのうち少なくとも一方は可動刃であり、可動刃は前後方向に移動自在に設けられている。可動刃の後端部は偏心位置をモータ４の駆動により回転する軸９に接続したカム８を介してモータ４に連結してあり、モータ４を駆動することで、可動刃はカム８の回転に伴い他方のバリカン刃に対して相対的に往復動し、これによりバリカン刃３ａ、３ｂの両側に形成した鋸刃状の刃部１０で刃部１０間に導入された庭木を挟み込み切断できる。ここで可動刃の移動方向は前述のカム８とバリカン刃３ａ、３ｂを貫通するボルト７によって移動方向が規制されるものとする。なお上下のバリカン刃３ａ、３ｂは両方が互いに反対方向に往復動する可動刃であっても良いし、また一方を可動刃とすると共に他方をバリカン本体１に対して固定的に設けられる固定刃としても良い。また可動刃の移動方向は少なくとも前後方向の運動成分を含むものであれば良く、前後方向に加えて左右方向の運動成分を含むものであっても良い。
【００１８】
バリカン本体１の外郭を構成するハウジング１２の前端部には略縦筒状のモータ収納部１３を形成してあり、該モータ収納部１３にモータ４を内装している。ハウジング１２の後端部には略横筒状で後方に突出する突出部１４を形成してあり、突出部１４は後方程下に位置するようにやや傾斜している。突出部１４の上部前側とモータ収納部１３の上部後側はモータ収納部１３や突出部１４よりも細い横筒状のグリップ部２で一体に接続され、また突出部１４の下部前側とモータ収納部１３の下部後側もグリップ部２の下方に位置する接続部１５により一体に接続されている。またハウジング１２のモータ収納部１３の前方には両端をモータ収納部１３の両側面に接続した補助グリップ部１６を配設してあり、グリップ部２及び補助グリップ部１６を両手で把持して庭木バリカンを持つことが可能となっている。またモータ収納部１３の前面下端部からはモータ収納部１３の前方に位置する保護カバー１７を立設してあり、該保護カバー１７により切断した庭木がグリップ部２や補助グリップ部１６を把持した手に当たることを防止している。
【００１９】
突出部１４の後端部には後方に開口する凹部１８を形成している。凹部１８の底面部からは後方に向けて一対の栓刃からなる外部電源接続端子１９を突設してあり、外部電源接続端子１９は凹部１８内に収納されている。外部電源接続端子１９は１００Ｖの商用電源からなる外部電源２０に接続されるものであり、図示しない電源コードの一端に設けたコネクタ部を凹部１８内に挿入して該コネクタ部のの刃受けに栓刃１９に接続し、該電源コードの他端をコンセントなどの外部電源２０に接続することで、バリカン本体１は電源コードを介して外部電源２０に間接的に接続可能となっている。
【００２０】
またハウジング１２には上記外部電源２０から供給された電流を交流から直流に変換する整流回路２１と、充電回路２３と、該充電回路２３により外部電源２０からの電力で充電可能な二次電池２４を内装してあり、このうち充電回路２３及び二次電池２４は突出部１４に内装してある。またハウジング１２におけるモータ収納部１３の上面部からグリップ部２に亘る部分の上面には操作部２５を設けてあり、操作部２５でグリップ部２内部に設けたモータ４のＯＮ・ＯＦＦを切替えるための切替スイッチ２５ａを切替えられるようにしている。さらに突出部１４の後端部には後述の二次電池２４の充電時において二次電池２４の充電状態を表示する発光体２６を設けあり、該発光体２６はＬＥＤからなる。
【００２１】
図２に本例の庭木バリカンの回路図を示し、図３に庭木バリカンのフローを示す。なお図２は外部電源接続端子１９を交流電源である外部電源２０に接続した状態であり、外部電源接続端子１９は外部電源２０に替えて図示する。
【００２２】
外部電源接続端子１９は整流回路２１を介してモータ４に接続してあり、以下の表１に示すように外部電源接続端子１９に外部電源２０を接続し、且つ整流回路２１とモータ４間に設けた切替スイッチ２５ａをＯＮにした場合、外部電源２０からの電力を整流回路２１を介してモータ４に供給し、これによりモータ４を駆動する。なお図１及び図２の２７はモータ４に過剰な負荷がかかることを防止するための手段となるブレーカである。
【００２３】
【表１】
2008079523.tif 000003
【００２４】
また外部電源接続端子１９には整流回路２１と並列となる充電回路２３、二次電池２４、接点ａを順に接続してあり、二次電池２４は接点ａ及び前述の切替スイッチ２５ａ及びブレーカ２７を介してモータ４に接続してある。充電回路２３は、表１に示すように外部電源接続端子１９を外部電源２０に接続し、且つ切替スイッチ２５ａをＯＦＦにした場合にのみ外部電源２０からの電力で二次電池２４の充電を行えるようにしてあり、外部電源接続端子１９を外部電源２０に接続していない状態、及び外部電源接続端子１９を外部電源２０に接続し且つ切替スイッチ２５ａをＯＮにした場合は二次電池２４の充電を行わない。また接点ａは外部電源接続端子１９を外部電源２０に接続した状態でＯＦＦとなり、接続していない状態でＯＮとなる。従って外部電源接続端子１９を外部電源２０に接続していない状態で切替スイッチ２５ａをＯＮにした場合には二次電池２４の電力によりモータ４を駆動し、切替スイッチ２５ａをＯＦＦにした場合にはモータ４を停止する。なお前述の外部電源２０をモータ４の電源とした場合において外部電源２０から整流回路２１を介してのモータ４へ供給される電流の出力は、二次電池２４をモータ４の電源とする場合において二次電池２４からモータ４へ供給される電流と同等出力となるように設定されている。
【００２５】
また本例の充電回路２３は、前述のように外部電源接続端子１９を外部電源２０に接続し且つ切替スイッチ２５ａをＯＦＦにした充電モードにおいて、図３のフローに示すように外部電源接続端子１９を外部電源２０に接続した状態で切替スイッチ２５ａをＯＦＦにした後、所定時間以上経過した場合にのみ前記充電回路に２３よる二次電池２４の充電を可能としてある。また本例ではこれに加えて、前記充電モードにおいて二次電池２４の電池容量又は電池電圧を検知し、検知した電池容量又は電池電圧が最適条件を満たした場合にのみ前記充電回路に２３よる二次電池２４の充電を可能としてある。つまり、外部電源接続端子１９を外部電源２０に接続した状態で切替スイッチ２５ａをＯＦＦにした後、所定時間以上経過し、且つ電池容量又は電池電圧が最適条件を満たした場合にのみ前記充電回路に２３よる二次電池２４の充電を開始するように設定してある。切替スイッチ２５ａをＯＦＦにした後、所定時間以上経過した場合にのみ充電できるようにしたことで、使用時において短時間で切替スイッチ２５ａが切替えられた場合に充電が行われることを防止できる。また電池容量又は電池電圧が最適条件を満たした場合にのみ二次電池２４を充電できるようにしたことで、二次電池２４がニッケル・カドミウム電池のような場合に、継ぎ足し充電による電池能力の劣化を防止できる。
【００２６】
また発光体２６は充電回路２３に接続してあり、充電回路２３は前述のように外部電源接続端子１９を外部電源２０に接続し且つ切替スイッチ２５ａをＯＦＦにした状態で二次電池２４の充電が完了した状態では発光体２６を点滅し、二次電池２４の充電が完了していない状態では発光体２６を点灯させる。
【００２７】
しかして上記庭木バリカンにあっては、外部電源接続端子１９を外部電源２０に接続し且つ切替スイッチ２５ａをＯＮにした場合には、外部電源２０が整流回路２１を介してモータ４に接続されてモータ４駆動用の電源となり、また外部電源接続端子１９を外部電源２０に接続せず且つ切替スイッチ２５ａをＯＮにした場合には、二次電池２４がモータ４に接続されてモータ４駆動用の電源となり、これにより外部電源接続端子１９を外部電源２０に接続した場合も外部電源２０に接続していない場合も共に切替スイッチ２５ａをＯＮにすることでモータ４を運転してバリカン刃３ａ、３ｂを駆動することができ、外部電源接続端子１９を外部電源２０に接続せずに二次電池２４を用いてコードレスで庭木バリカンを利用でき、また二次電池２４の残容量が減少した場合にも外部電源接続端子１９を外部電源２０に接続すれば庭木バリカンを利用することができる。また外部電源接続端子１９を外部電源２０に接続し且つ切替スイッチ２５ａをＯＦＦにすることで、外部電源接続端子１９を介して外部電源２０で二次電池２４を充電できる。
【００２８】
また本例のバリカン本体１にはバリカン本体１に内装した二次電池２４及び充電回路２３を冷却するための冷却ファン２８を設けてあり、以下に詳述する。
【００２９】
図１に示すようにハウジング１２のモータ収納部１３の上部からグリップ部２を経て突出部１４に至る部分の内部には風路３０を形成している。風路３０の前側の一端はモータ収納部１３の前面部の上部に形成した空気流入口３１を介してハウジング１２の外部に連通し、また風路３０の後側の一端は突出部１４の下面部に形成した空気流出口３２を介してハウジング１２の外部に連通している。空気流入口３１及び空気流出口３２は共にスリット状の孔からなる。
【００３０】
風路３０における突出部１４の後部に対応する部分に冷却ファン２８を設けてあり、冷却ファン２８を運転することで、空気流入口３１から外気をハウジング１２内の風路３０に吸い込み、この吸い込んだ空気をモータ収納部１３の上部、グリップ部２、突出部１４、空気流出口３２を経て排出できるようになっている。このハウジング１２の内部に形成した風路３０には、前述の充電回路２３及び二次電池２４を上流側からこの順序で配設してあり、冷却ファン２８は二次電池２４よりもさらに下流側に配設してある。
【００３１】
そして冷却ファン２８は図２に示すように充電回路２３を介して外部電源接続端子１９に接続してあり、少なくとも前述の充電時、即ち外部電源接続端子１９を外部電源２０に接続し且つ切替スイッチ２５ａをＯＦＦにした状態で冷却ファン２８を自動的に運転するよう設定されている。従って冷却ファン２８を運転した場合には、冷却ファン２８によって生じた風により充電回路２３及び二次電池２４を冷却し、これらが高温になることが防止される。
【００３２】
なお図１のように風路３０にモータ４や整流回路２１を配置し、これらを冷却ファン２８によって生じる風の通過する位置に配置し、外部電源接続端子１９を外部電源２０に接続し且つ切替スイッチ２５ａをＯＮにした状態や、外部電源接続端子１９を外部電源２０に接続せず切替スイッチ２５ａをＯＮにした状態で冷却ファン２８を自動的に運転するように設定し、これにより冷却ファン２８によって生じた風によりモータ４や整流回路２１を冷却できるようにしても良い。
【００３３】
ここで上記ハウジング１２内に空気を流入させるための空気流入口３１又はハウジング１２外に空気を排出する空気流出口３２の少なくともいずれか一方をハウジング１２の下側を向く面部に形成することが好ましく、この場合、庭木バリカンの使用時や保管時において空気流入口３１や空気流出口３２から雨や埃が侵入することを防止できる。図１に示す実施例では、空気流入口３１を構成する孔を奥側程上方に位置するように傾斜させ、また空気流出口３２をハウジング１２の下側を向く面部である突出部１４の下面に形成することで、空気流入口３１や空気流出口３２からハウジング１２内に雨や埃が侵入することを防止している。
【図面の簡単な説明】
【００３４】
【図１】本発明の実施の形態の一例を示すものであり、（ａ）は庭木バリカンの側断面図であり、（ｂ）は水平断面図であり、（ｃ）は突出部の下面図である。
【図２】同上の電気回路図である。
【図３】同上のフローである。
【符号の説明】
【００３５】
１  バリカン本体
３ａ  バリカン刃
３ｂ  バリカン刃
４  モータ
１９  外部電源接続端子
２０  外部電源
２１  整流回路
２３  充電回路
２４  二次電池
２８  冷却ファン
３１  空気流入口
３２  空気流出口
【図１】
2008079523.tif 000004
【図２】
2008079523.tif 000005
【図３】
2008079523.tif 000006